(57)【要約】【解決手段】眼鏡アクセサリーフレームは、補助フレーム（１０２）を含む。この補助フレームは熱処理された磁性合金を含む。補助フレームの磁性合金は磁気によって補助フレーム（１０２）を磁化可能な材料を有する主フレーム（１０４）に連結するよう形成されている。方法も提供されている。【選択図】図１
2004509373.tif 000002
【特許請求の範囲】
【請求項１】
眼鏡アクセサリーフレームであって、
熱処理された磁性合金を含む補助フレームを有し、
前記補助フレームの熱処理された磁性合金は、磁化可能な材料を有する主フレームに磁気的に連結されるように構成されたものである眼鏡アクセサリーフレーム。
【請求項２】
請求項１の眼鏡アクセサリーフレームにおいて、
前記補助フレームはスピノーダル分解合金を有し、前記補助フレームは前記スピノーダル分解合金を用いて形成され、そして前記形成された補助フレームはスピノーダル分解合金を磁化するよう熱処理されている、眼鏡アクセサリーフレーム。
【請求項３】
請求項２の眼鏡アクセサリーフレームにおいて、前記スピノーダル分解合金は熱処理され、補助フレームと主フレーム間の接触面に対して実質的に直角な方向に沿って概して延びる材料を介してスピノーダル分解合金に極性を与えたものである、眼鏡アクセサリーフレーム。
【請求項４】
請求項１の眼鏡アクセサリーフレームにおいて、前記補助フレームはアーノクロム３（Ａｒｎｏｋｒｏｍｅ３）を有し、そして前記アーノクロム３は前記補助フレームに対して、補助フレームと主フレーム間の接触局部面に対して実質的に直角な方向の極性を与えるよう熱処理されている、眼鏡アクセサリーフレーム。
【請求項５】
請求項１の眼鏡アクセサリーフレームはさらに、補助フレームに設けられたアライメント構造を有し、これは主フレームに取付けられる際に組込まれ、前記補助フレームを主フレーム上にアライメントするように構成されている、眼鏡アクセサリーフレーム。
【請求項６】
請求項５の眼鏡アクセサリーフレームにおいて、前記アライメント構造は補助フレームに保持された少なくとも一つのリムフランジを有し、これは前記主フレームの周縁部に沿って適合するよう構成されている、眼鏡アクセサリーフレーム。
【請求項７】
請求項５の眼鏡アクセサリーフレームにおいて、前記アライメント構造は、前記補助フレームが前記主フレーム上にアライメントするように主フレームと互いに噛合うように構成されたフォーク状固定部を有する、眼鏡アクセサリーフレーム。
【請求項８】
請求項７の眼鏡アクセサリーフレームにおいて、前記一対のフォーク状固定部は、前記補助フレームの向かい合う両外縁に装備され、前記個々のフォーク状固定部は補助フレームが主フレーム上にアライメントするように主フレーム上でつる延長部を囲むよう構成されている、眼鏡アクセサリーフレーム。
【請求項９】
請求項５の眼鏡アクセサリーフレームにおいて、前記アライメント構造は、前記補助フレームは、前記主フレーム上にアライメントするように主フレームのつると互いに噛合うよう構成された固定アームを有するものである、眼鏡アクセサリーフレーム。
【請求項１０】
請求項９の眼鏡アクセサリーフレームにおいて、前記一対の固定アームは補助フレームの向かい合う両外縁に装備され、前記個々の固定アームは主フレームのそれぞれのつるを囲むよう構成され、そして前記固定アームは熱処理された磁性合金を有する、眼鏡アクセサリーフレーム。
【請求項１１】
請求項１の眼鏡アクセサリーフレームにおいて、前記補助フレームは、眼鏡を有する主フレームの前面に組み合わされかつ磁気的に連結するように構成された磁性合金のサングラスフレームを有するものである、眼鏡アクセサリーフレーム。
【請求項１２】
眼鏡装置であって、
磁化可能な材料を含む主フレームと、
少なくとも一部が磁化するよう熱処理されたスピノーダル分解合金を含む補助フレームと
を有し、
前記補助フレームの磁化された部分は、前記主フレームの磁化可能材料と相互作用し、前記補助フレームを前記主フレームに磁気的に接続するようになっている、眼鏡装置。
【請求項１３】
請求項１２の眼鏡装置において、前記補助フレームはスピノーダル分解合金を用いて形成され、その後に形成された補助フレームはスピノーダル分解合金を磁化するよう熱処理されている、眼鏡装置。
【請求項１４】
請求項１２の眼鏡装置において、前記主フレームは眼鏡を有し、また補助フレームは磁気によって眼鏡の前面に接続する付属サングラスを有する、眼鏡装置。
【請求項１５】
請求項１２の眼鏡装置において、前記熱処理されたスピノーダル分解合金は補助フレームと主フレーム間の接触局部面に対し、実質的に直角方向に伸びた補助フレームに極性を与えるよう熱処理されている、眼鏡装置。
【請求項１６】
請求項１２の眼鏡装置は、補助フレームと主フレーム間が磁気的に接続された際に、補助フレームと主フレームをより整列させるよう主フレームと補助フレームうちの一つに設けられたアライメント機構をさらに有する、眼鏡装置。
【請求項１７】
請求項１６の眼鏡装置において、前記アライメント機構は補助フレームの後方に伸びたリムフランジを有し、主フレームの外縁に隣接して噛合うよう構成されている、眼鏡装置。
【請求項１８】
請求項１６の眼鏡装置において、前記アライメント機構は、補助フレームが磁気によって主フレームの前面に接続して主フレーム上に補助フレームを並べる際に、主フレームに組込まれるよう構成された一対のフォーク状固定部を有する、眼鏡装置。
【請求項１９】
請求項１８の眼鏡装置において、前記個々のフォーク状固定部は補助フレームの向かい合う測稜上に備わり、また前記主フレームの前面に磁気接合による噛合いによって補助フレームが真直ぐに並ぶようその個々のフォーク状固定部がつる延長部と互いに噛合うものである、眼鏡装置。
【請求項２０】
請求項１５の眼鏡装置において、前記主フレームと補助フレームの一つが隆起構造部を有し、また主フレームと補助フレームのもう一方は隆起構造部を受け入れるよう構成された補足的なスロットを有すことによって、補助フレームが磁気によって主フレームと接合する配置構造を与えるものである、眼鏡装置。
【請求項２１】
請求項１２の眼鏡装置において、前記スピノーダル分解合金は鉄・クロム・コバルト合金を有する、眼鏡装置。
【請求項２２】
請求項１２の眼鏡装置において、スピノーダル分解合金は付加的磁性合金を有する、眼鏡装置。
【請求項２３】
請求項１２の眼鏡装置において、前記主フレームは磁化可能材料から成るつる先端部を有し、補助フレームは固定アームを磁化するよう熱処理されたスピノーダル分解合金から成る固定アームを有し、前記固定アームはつる先端部と相互に作用し合って補助フレームを主フレームに磁気接合する、眼鏡装置。
【請求項２４】
請求項２３の眼鏡装置において、前記主フレームは一対の固定アームを有し、補助フレームを主フレームに磁気的及び機械的に相互連結して磁気接合するため、その個々の固定アームが主フレームの各つるを組込むよう構成されている、眼鏡装置。
【請求項２５】
眼鏡装置であって、
磁化可能な材料を含む第１ののフレームと、
第２の、熱処理された磁性合金を含む補足フレームと、
を有し、
前記第２のフレームの磁性合金が第１のフレームの磁化可能な材料と相互に作用し合うことにより第１のと第２のフレームを磁気接合する、眼鏡装置。
【請求項２６】
請求項２５の眼鏡装置において、前記第１のフレームが主フレームを有し、そして第２のフレームが補助フレームを有する、眼鏡装置。
【請求項２７】
請求項２６の眼鏡装置において、前記主フレームは眼鏡を有し、そして第２のフレームが眼鏡の前面に組込まれて磁気接合するよう構成されたサングラスを有する、眼鏡装置。
【請求項２８】
磁性眼鏡器具を形成する方法であって、
アクセサリーフレームを少なくとも部分的にスピノーダル分解合金から形成し、
形成されたアクセサリーフレームを熱処理することでスピノーダル分解合金を磁気化させる、
を有する、
磁性眼鏡器具を形成する方法。
【請求項２９】
請求項２８の方法において、アクセサリーフレームは、磁化可能な材料を含むフレームを持った眼鏡に磁気接合するよう構成されたサングラス付属部を有する、方法。
【請求項３０】
請求項２８の方法において、前記スピノーダル分解合金はアクセサリーフレームの形成に用いられる鉄・クロム・コバルト合金を有する、方法。
【請求項３１】
請求項２８の方法において、前記アクセサリーフレームは磁化可能な材料を持つ主フレームに取付け時に組込むよう構成されたアライメント機構を含む、方法。
【請求項３２】
請求項２８の方法において、前記磁化された合金は補助フレームが主フレームと共に組込まれる際に磁化可能な材料と働き合い、前記配置構造は補助フレームを主フレームと真直ぐに並べる、方法。
【請求項３３】
磁性眼鏡器具を形成する方法であって、
スピノーダル分解合金を持つ補助フレームの提供と、
スピノーダル分解合金を磁化するための、スピノーダル分解合金の熱処理を有する
ものである方法。
【請求項３４】
請求項３３の方法において、前記補助フレームを熱処理することにより、補助フレームの熱処理磁性合金を生成する、方法。
【請求項３５】
請求項３４の方法において、前記熱処理合金は鉄・クロム・コバルト合金を有し、そして前記熱処理は合金を均質単相構造から一相が磁性である分離二相構造への変換を有する、方法。
【請求項３６】
請求項３３の方法において、前記熱処理はスピノーダル分解合金を処理する方向付けられた熱を有し、これにより補助フレームが保持される主フレームと補助フレーム間に形成された接触面に対して、略直角な方向に沿って伸びた補助フレームを通してスピノーダル分解合金に極性を与えるようになっている、方法。
【請求項３７】
請求項３３の方法において、前記補助フレームを実現する手段は鉄・クロム・コバルト合金を用いて補助フレームの形成を有する、ものである方法。
【発明の詳細な説明】
【０００１】
【発明の属する技術分野】
本発明は眼鏡等に関するものである。さらに具体的には、本発明は眼鏡のための補助フレーム、及び眼鏡器具に関わるものである。
【０００２】
【従来の技術】
Ｍｅｅｋｅｒに与えられた米国特許第４，０７０，１０３号は眼鏡と、着脱可能なワン−ピースのレンズ枠カバーとを開示する。ある実施例によれば、磁性帯がレンズ枠カバー内面の溝に設けられている。眼鏡上の各レンズ枠は部分的あるいは全体的に磁化可能な材料で製造されており、その磁化可能材料が磁性バンドを介して眼鏡の縁へのレンズ枠カバーの取付けを容易にする。しかしながら、レンズ枠カバー上にある溝の中に設けられた磁性バンドは比較的大きく複雑で、各レンズ枠カバーが眼鏡に設置された際に美的外観を失う。上述の課題は、眼鏡が比較的薄く控えめなスタイルの際に、特に望ましくない。
【０００３】
Ｃｈａｏに与えられた米国特許第５、７８６，８８０号は、磁化部分より先んじて眼鏡フレームにはめ込まれた少なくとも一つの磁化可能部を持つ主フレームと第２のフレームを含むスペクタクル、いわゆるメガネ、フレームを開示する。フレームを削り取ることによりフレームにはめ込まれた部分には電気鍍金が施され、磁性部分がフレーム埋め込まれるように塗装される。電気鍍金と塗装の後、フレームの外観への損傷を防ぐために電磁装置のような磁化装置を用いて部材が磁化される。しかしながら、その様な技術は眼鏡フレームに穴を掘削する必要がある。眼鏡フレームは下地材料を有し、そこで前記磁石がその様な掘削された穴にはめ込まれる。しかるべく、結果的に生じる眼鏡フレームは比較的大きくかさばり、また特にその様な眼鏡フレームがスポーツ競技やランニングの際に使用された際に穴に配置された個別の磁石は眼鏡フレーム上で主フレームと補助フレームを常につなげるほど十分に強力であるとは限らない。
【０００４】
Ｃｈａｏに与えられた米国特許第５，５６８，２０７号、第５，７３７，０５４号、第５，８８２，１０１号、第５，８７７，８３８号、第５，８８３，６８８号、第５，８８３，６８９号の全特許と、Ｃｈａｏ他に与えられた米国特許第６，０１２，８１１号は、眼鏡に備え付けつけるための個別磁石及びフック部材、クリップ、フラップを用いた補助レンズ、眼鏡器具、そして眼鏡フレームを様々に開示する。しかしながら、その様な装置はまだ多数の問題点に直面する。すなわち、その様な装置は眼鏡フレームを比較的扱いにくくし、また眼鏡に取り付けられた際に美的不快感を与える。さらに配列ミス問題や、眼鏡と上記の眼鏡フレームのはめ込みや取り外しが困難であるといった問題点が残る。
【０００５】
【発明が解決しようとする課題】
従って、眼鏡フレームを眼鏡に取り付ける際などの場合において補助フレームを主フレームに接続するための、より改善された方法の必要性が存在する。特に、より簡単でしっかりと補助フレームを主フレームに接続でき、なおかつ美低感覚に適う眼鏡装置を提示する器具と方法の必要性が存在する。
【０００６】
【課題を解決するための手段】
補助フレームと、主要・補助フレーム眼鏡装置のそれぞれは、補助フレームと主フレームの付着を可能にする磁気性質を与えるために熱処理された磁性合金を含む。ある構造によると、主フレームは眼鏡を有し、また補助フレームはサングラス付属部を有する。ある構造に基づくと、熱処理された磁性合金は鉄・クロム・コバルト合金のようなスピノーダル分解合金を有し、その合金は先ず適当な物体形状に成型され、そして適当に成型された物体に適当な磁気性質を与えるよう熱処理される。
【０００７】
ある実施例によると、眼鏡アクセサリーフレームは補助フレームを含む。補助フレームは熱処理された磁性合金を含む。補助フレームの熱処理された磁性合金は磁化可能材料を持つ主フレームに補助フレームを磁性接続するよう構成されている。
【０００８】
他の実施例によると、眼鏡装置は主フレームと補助フレームを含む。主フレームは磁化可能な材料を含む。補助フレームは、少なくとも部分的に補助フレームを磁化するよう熱処理されたスピノーダル分解合金を含む。補助フレームの磁化された部分は、主フレームの磁化可能材料と相互に作用することによって補助フレームを主フレームに磁気接合する。
【０００９】
さらに別の実施例によると、眼鏡装置は第１のフレームと第２のフレームを包括する。第１のフレームは磁化可能な材料を含む。第２の、補足フレームは熱処理された磁性合金を含む。第２のフレームの磁性合金は第１のフレームの磁化可能材料と相互に作用することによって第１のフレームと第２のフレームを磁気接合する。
【００１０】
さらに他の実施例に基づくと、磁性眼鏡装置を形成する方法が提供される。その方法には、スピノーダル分解合金から少なくとも部分的にアクセサリーフレームを形成すること、そしてスピノーダル分解合金を磁化するために形成されたアクセサリーフレームを熱処理することが含まれる。
【００１１】
またさらに他の実施例によると、磁性眼鏡装置を形成する方法が提供されている。その方法には、スピノーダル分解合金を持つ補助フレームを実現すること、そしてスピノーダル分解合金を磁化するためにスピオーダル分解合金を熱処理することが含まれる。
【００１２】
【発明の実施の形態】
ここで、出願者の発明の抜粋された実施の形態について言及する。複数の実施例が以下に記述され、図を参照して描写されており、それぞれの実施例はサングラス付属部品を眼鏡に固定する際などにおける補助フレームを主フレームに固定するための装置と方法を有する。図１〜８は第１の実施例を図解で説明する。図９〜１５は第２の実施例を図解で説明する。図１６〜２２は第３の実施例を図解で説明する。図２３〜２７は第４の実施例を図解で説明する。最後に、図２８〜３３は第５の実施例を図解で説明する。発明は複数の抜粋実施形態に基づいて述べられているが、説明記述はその様な実施形態のみに限られるのではなく、実施形態よりも広範囲であろう補助請求の範囲内に含まれている代替案、同等物、変形例を包含することが理解される。
【００１３】
考慮中の発明を不明瞭にするのを防ぐため、現在において技術的に理解されているように、必要に応じて現在の理解されている周辺の詳説を参照として組込むと共に、発明の実施に適切な詳説のみが詳しく詳細に渡って解説されている。
【００１４】
図１は出願者の発明のある抜粋された実施形態を具体的に説明し、前記眼鏡装置は参照番号１００として提供され、識別される。眼鏡装置１００は、サングラス付属部１０２を有し、それは取り外し可能なように眼鏡１０４に固定され、使用者１０６によって着用される。図９における代替実施形態への参照と共に以下に記載されているように、眼鏡１０４が使用者１０６によって着用されている場合、或いは眼鏡１０４が使用者１０６から取り外された場合に、サングラス付属部１０２は眼鏡１０４と付着および取外しするよう構成されている。
【００１５】
図１に示されるように、サングラス付属部１０２は補助フレーム１０８を有し、眼鏡１０４は主フレーム１１０を有する。補助フレーム１０８は少なくとも部分的に磁性合金から構成され、また主フレーム１１０は少なくとも部分的に磁化可能な材料から構成されている。ある構成によると、補助フレーム１０８は全てが磁性合金から構成されており、主フレーム１１０はその全てが磁化可能な材料から構成されている。他の構成によれば、補助フレーム１０８の形成に用いられる別の構成部品のみが磁性合金で形成されており、また主フレーム１１０の形成に用いられる別の構成部品は磁化可能な材料から形成されている。補助フレーム１０８の磁性合金と主フレーム１１０の磁化可能材料間の協力作用は、互いに接合あるいは近接して配置された場合に、補助フレーム１０８が主フレームに磁気によって接合されることで主フレーム１１０と補助フレーム１０８を摩擦で接合する。
【００１６】
さらに詳細には、特に補助フレーム１０８の磁性合金と主フレーム１１０の磁化可能材料に関して、補助フレーム１０８は、主フレーム１１０の最も前方の表面（使用者から離れた）と一致する最も後方の表面（使用者側）を持つよう構成されている。望ましくは、補助フレーム１０８が主フレーム１１０の一般的な形にしっかりと”フィット”するほど、若しくは実質的な平行整列して組込まれて適合することにより、そのフレーム間に実質的に均一な接合あるいは密接な位置設定がもたらされる。結果的に、補助フレーム１０８の磁性合金は主フレーム１１０の磁化可能材料と一体となって磁力を発生する。
【００１７】
ある代替構造において、補助フレーム１０８は少なくとも部分的に磁化可能な材料から形成され、主フレーム１１０は相補的に磁性合金から形成され、実質的にフレーム間の接合部はそれぞれ磁化可能材料と磁性合金から形成される。
【００１８】
ある構造に基づくと、適切な磁性合金はステンレス鋼に類似した性質を持つスピノーダル分解合金を有する。ある形態において、上記の様なスピノーダル分解合金はワイヤー形状として製造される。その様なスピノーダル分解合金は比較的望ましい磁気特性を持った鉄・クロム・コバルト磁性合金を有する。そのような合金は、ワイヤー形状の合金材料を活用して適当な形状に成形され、その適当な合金はその後、望まれる磁気特性を与えられるよう熱処理される。
【００１９】
前述のスピノーダル分解合金の使用は、従来眼鏡や眼鏡アクセサリーの構造において知られていない。それどころか、出願者は前述のスピノーダル分解合金が以前に消費者製品のセキュリティータグの構成に使用されていることを発見している。既に説明されている従来技術の問題に対する解決案を考案する出願者の努力は、材料やこれまでの眼鏡や眼鏡アクセサリーの構成において以前利用されていない処理方法の評価と調査を必然的に伴った。
【００２０】
前述のスピノーダル分解合金のひとつの市販供給元はＴｈｅ　Ａｒｎｏｌｄ　Ｅｎｇｉｎｅｅｒｉｎｇ　Ｃｏｍｐａｎｙ、　Ｒｏｌｌｅｄ　Ｐｒｏｄｕｃｔｓ　Ｄｉｖｉｓｉｏｎ、　３００Ｎ．　Ｗｅｓｔ　Ｓｔｒｅｅｔ、Ｍｅｒａｎｇｏ、Ｉｌｌｉｎｏｉｓ　６０１５２である。Ａｒｎｏｌｄ　Ｅｎｇｉｎｅｅｒｉｎｇ　Ｃｏｍｐａｎｙは前述のスピノーダル分解合金の商品名を”Ａｒｎｏｋｒｏｍｅ３ＴＭ”としてワイヤー形状で製造、販売、熱処理する。出願者はその様なワイヤー形状物を用いて適切な補助フレームを形成した。スピノーダル分解合金を使用して補助フレームを形成後、前述の合金を熱処理することによってその原料は望まれる磁気特性をスピノーダル分解合金と補助フレームに与える。その様なスピノーダル分解合金における特定の構造と熱処理についての詳細は、Ａｎｄｅｒｓｏｎに与えられた米国特許番号４，１２０，７０４に公開されており、Ａｒｎｏｌｄ　Ｅｎｇｉｎｅｅｒｉｎｇ　Ｃｏｍｐａｎｙに譲渡されている。その米国特許番号４，１２０，７０４はこの参照によって明細に組込まれる。
【００２１】
その他複数の熱処理された磁性合金は、主フレームと第２のフレームを相互に付着する際に、主フレーム或いは第２のフレームのどちらかに使用することができる。金子他に与えられた米国特許第３，８０６，３３６号、井上に与えられた米国特許第３，９５４，５１９号、岩田他に与えられた米国特許第３，９８２，９７２号、神野他に与えられた米国特許第４，３２４，５９７号、Ｊｉｎに与えられた米国特許第４，２５１，２９３号、神野に与えられた米国特許第４，２３６，９１９号、Ｊｉｎに与えられた米国特許第４，２５３，８８３号、Ｃｈｉｎ他に与えられた米国特許第４，３１１，５３７号、山下他に与えられた米国特許第４，６０１，８７６号、Ｂｒａｎｄｉｓ他に与えられた米国特許第４，６０４，１４７号、そしてＬｉｕ他に与えられた米国特許第５，３５１，０３３号は磁気特性を与える様々な適切な合金を開示し、ここに参照により組込まれる。さらに、セキュリティーマーカとセキュリティータグの非類似技術に適用された前述の合金の使用に関する詳細は、Ｍｏｎｔｅａｎに与えられた米国特許第４，９６７，１８５号と米国特許第５，４３２，４９９号、Ｚａｒｅｍｂｏ他に与えられた米国特許第５，４７７，２１９号に開示され、ここに参照として組込まれる。
【００２２】
ある構造によると、適切な磁化可能な材料は鋼を含む。しかしながら、磁化可能材料は、鋼やステンレス鋼、その他磁気材料の近くに置かれた際にその磁気材料に物理的に引き付けられることの可能などのような合金もが磁化可能な材料として供給される。
【００２３】
図２に示されるように組立て時において、眼鏡装置１００の眼鏡付属部１０２と眼鏡１０４は、磁化可能材料によって主フレーム１１０との磁気（及び摩擦）接合を与える補助フレーム１０８の磁性合金の働きにより磁力で互いに付着する。図２に描写された構造に基づくと、使用者が眼鏡１０４を着用している際でも、補助フレーム１０８は主フレーム１１０と装着および取外し可能なように構成されている。その様な装着・取外しは、補助フレーム１０８における磁性合金の使用によりクリップや付属固定装置の必要性が削除されたため、比較的簡単で確実なものとなる。
【００２４】
さらに補助フレーム１０８は、主フレーム１１０の形状と寸法に実質的に適合するように（正面図と側面図に見られるように）構成されている。しかしながらこの実施形態において、つる１２３は補助フレームに包含されていない。したがって、魅力的な美的外観が眼鏡装置１００によって提示される。よって、眼鏡装置１００はオブザーバーに補助フレーム１０８があたかも存在しないかのような印象を与え、眼鏡装置１００によって提示された主フレーム１１０に類似した外観を与える。それ故に、サングラス付属部１０２を眼鏡１０４に使用することで従来の”アドオン”や”クリップオン”サングラス付属部の外観が解消される。
【００２５】
図３はさらにサングラス付属部１０２、すなわち補助フレーム１０８の後方円周面を図解で説明する。望ましくは、補助フレーム１０８の表面全てが磁性合金で形成され、そこで組立時にフレーム間でより一層の磁気接合と相互作用を提供するために前述の後方円周面では個々のレンズが主フレーム１１０の先端（図４参照）と噛合うことで接合する。
【００２６】
図４はサングラス付属部１０２の眼鏡１０４の正面への取付けを図解で説明する。ある適切な付着技術は図１に示され、そこで使用者は眼鏡１０４を装着しており、眼鏡付属部はただ単に配置されて眼鏡１０４と噛合うことにより、そのフレーム間に磁力と固定を与える。随意的に、サングラス付属部１０２と眼鏡１０４は使用者から取り外されて手に持っている際にも取付けが可能で、以下に図９の代替実施形態への参照とともに示されている。
【００２７】
図４のように、サングラス付属部１０２は、一対の付属レンズ１１２と１１４を含む補助フレーム１０８を有する。ある構造によると、付属レンズ１１２と１１４のそれぞれは偏光レンズのようなサングラスレンズを有する。任意に、付属レンズ１１２と１１４は拡大鏡、色付きレンズ、フィルターレンズ、またはニ焦点レンズを具備することができる。さらに、眼鏡１０４の一対の主要レンズ１１６と１１８は、使用者の視力を矯正するよう構成された一対の地上、処方レンズなどを具備する。
【００２８】
補助フレーム１０８はさらに、一対の付属固定機能，またはレンズ縁１２４と１２６、と接合するブリッジ１２０を具備する。同様に、主フレーム１１０上のブリッジ１２２は一対の主要固定機能、或いはレンズ縁１２８と１３０、を接合する。さらに、一対のテンプル延長部、或いはつる、１２３は主フレーム１１０の両側面を後方に伸びる。技術的に現在理解されている多くの技法のどれに於いても、個々のつる１２３は丁番ネジ１２７を中心としてスタッド１２５、或いはこめかみ部、を枢軸的に支える。
【００２９】
図５に示されるように、サングラス付属部は、主フレーム１１０と隣接して組込まれる関係にある際に補助フレーム１０８の磁気による噛合いによって眼鏡１０４に接合される。上記のような構造において、ブリッジ１２０と１２２は物理的には接触関係にはなく、よってフレーム間の磁気による噛合いには関与しない。代案として、ブリッジ１２０は磁性合金から形成され、ブリッジ１２２は磁化可能材料から形成されることも可能で、ブリッジ１２０と１２２はお互いに磁力を持つよう取付けの際に噛合うよう構成することも可能である。
【００３０】
図６と図７はさらに、眼鏡装置１００のサングラス付属部１０２と眼鏡１０４の取付け前構成（図４と同様）と取付け後構成（図５と同様）の側面図を図解で説明する。とりわけ図６と図７はそれぞれフレーム間の噛合い前後の補助フレーム１０８と主フレーム１１０の実質的な適合構成を図解で説明する。従って、後端あるいは補助フレーム１０８の表面は実質的に前端あるいは主フレーム１１０の表面の幾何学的形状に適合することが理解される。図７のように取付けられた際に、補助フレーム１０８の後端は主フレーム１１０の前端と近接し、実質的に噛合う関係に置かれ、フレーム間に磁力と接辞添加をもたらす。しかしながら、塗装やメッキ材などの表面処理加工が補助フレーム１０８や主フレーム１１０のうち一つ以上にオプションで施された場合にも加工された表面を通して磁力が働くことが理解される。したがって、補助フレーム１０８はフレーム間の摩擦接触の結果として主フレーム１１０上に付着され、接触は補助フレーム１０８の磁性合金と主フレーム１１０の磁化可能材料によってもたらされる。
【００３１】
図８には、補助フレーム１０８の後端が主フレーム１１０の前端と真直ぐ、物理的に隣接して示されている。それに応じて、磁力はサングラス付属部１０２と眼鏡１０４（図２を参照）を固定するのに十分な摩擦接触をフレーム間に与える。
【００３２】
眼鏡付属部１０２の補助フレーム１０８が主フレームと直接に接触して示されているが、レンズ枠１２８と１３０（図４参照）の個々が主フレーム１１０の円周と完全に接触する必要はないことが理解される。局部間の接触は十分な磁力をもたらすかもしれない。しかしながら、その間の磁力を向上させるには、完全なる円周接触が実現されることが必要ではないにせよ望ましい。
【００３３】
のみならず、フレーム間の磁力を高めるためには補助フレーム１０８と主フレーム間に最大限の接触面積を装備することが望ましい。しかしながら、必要な表面積はサングラス付属部を補足的眼鏡上に十分に保持するのみであると理解される。したがって、”フィットアップ”の特定度合いとサングラス付属部の補助フレーム１０８及び主フレーム１１０と眼鏡の接触のそれぞれは、サングラス付属部の重量と補助フレーム１０８の磁性合金に与えられた磁気の度合いに応じて異なる可能性がある。
【００３４】
図９は、サングラス付属部１０２（図１〜８）に類似するサングラス付属部の第２の実施形態を図解によって説明し、それは眼鏡１０４に磁気装着するよう構成されている。しかしながら、サングラス付属部２０２は、少なくとも部分的に磁性合金から形成された補助フレーム２０８を有し、さらに一対のリムフランジ１３２と１３４を含む。リムフランジ１３２と１３４のそれぞれは取付け時において補助フレーム２０８の最上端に沿って位置し、また主フレーム１１０の最上端の縁に位置する。したがって、リムフランジ１３２と１３４は、補助フレーム２０８を主フレーム１１０に固定する際の磁力を助ける。
【００３５】
上記のような代替実施形態は、眼鏡１０４の使用者がランニングやバレーボール、その他の眼鏡１０４とサングラス付属部２０２が振動してサングラス付属部が眼鏡１０４から除落するほどの激しい身体活動に参加する際に特に望ましい。その様な除落はサングラス付属部２０２に作用する慣性力に依るもので，補助フレーム２０８と主フレーム２１０間の磁力による摩擦力の限度を越えたために起こる。しかしながら、リムフランジ１３２と１３４の添加は多くの用途において必要ではなく、そのような例として特に振動や振れなどの激しい活動が結果的に補助フレーム２０８に著しい減速作用を加ることがない場合、または十分な磁力がこれらの状況下における接合を実現する場合などが挙げられる。したがって、サングラス付属部２０２と眼鏡１０４は代替実施形態の眼鏡装置２００を提供するよう互いに働きあい、特に激しい活動や環境に適する、向上した保持力をその間に提供する。
【００３６】
サングラス付属部２０２と眼鏡１０４（図９）間における付着および取外しは図１０〜１５への参照と共にさらに説明される。図１０に示されるように、サングラス付属部２０２の補助フレーム２０８は磁気接合部で眼鏡１０４の主フレームに組込まれる。正面図に示されるように、眼鏡装置２００の総合美的外観への悪影響を最低限にとどめるためリムフランジ１３２と１３４は主フレーム１１０の上端に沿って構成されている。さらにリムフランジ１３２と１３４は、それぞれ個別の棚状のもの、すなわちレッジ、を設け、それが主フレーム１１０の上面に沿って組込まれる（図１５に示されている）。リムフランジ１３２と１３４を除く、補助フレーム２０８の残りの部分は図８の第１の実施形態に示された隣接触と同様に、磁気接合した物理的隣接によって付着する。
【００３７】
図１１は、リムフランジ１３２と１３４の構造をさらに図解によって説明する。ある構造に基づくと、リムフランジ１３２と１３４もまたスピノーダル分解合金のような磁性合金から構成される。代案として、リムフランジ１３２と１３４は非磁性合金のような非磁性材料から構成され、その結果補助フレームと主フレーム間の付着力と配列を助ける。それ故にリムフランジ１３２と１３４はまたサングラス付属部１０２を眼鏡１０４に磁気接合において取り付けた際に正確な配列をもたらす。したがって、リムフランジ１３２と１３４は、主フレーム１１０の上端とリムフランジ１３２と１３４との相互作用を通してさらなる機械的接合を提供する。
【００３８】
図１２〜１４は、サングラス付属部２０２が磁気接合により眼鏡１０４上に配置関係を持つ場合の、リムフランジ１３２と１３４が主フレーム１１０上へ配置された比較的合理化されて控えめな様態をさらに詳細に渡って説明する。図１２〜１４に示されるようにリムフランジ１３２と１３４は、ブリッジ１２２と個々のテンプル延長部１２３間の主フレーム１１０の上端上にそれぞれ完全に配置される。上記の主フレーム１１０の上端に沿ったリムフランジ１３２と１３４の実質的な完全配置は、特に眼鏡装置を上から眺めた際に補助フレーム２０８と主フレーム１１０間にできた端の継ぎ目を部分的に隠すのに役立つ。従って、添加美的特性がリムフランジ１３２と１３４によってもたらされる。
【００３９】
さらに、付属固定機能２２４と２２６はそれぞれリムフランジ１３２と１３４を含み、その個別の接眼レンズは個々の付属固定機能２２４と２２６によって固定される。ある構造によると、付属固定機能を不連続にしてレンズの挿入と取り外しを容易にするために、スリットが付属固定機能２２４と２２６（図示せず）のそれぞれに設けられている。一対のフェルールが上記のスリットの対辺に設けられ、ネジ部品がスリットを確実に繋いで付属固定機能を閉じ、よって付属固定機能における挿入や取外し、固定を容易にするのに役立つ。上記の構造の更なる詳細は技術的に現在理解され、考慮中の発明を不明瞭にするのを防ぐため本実施形態およびその他の実施形態から省略される。
【００４０】
図１３は、サングラス付属部２０２の補助フレーム２０８が眼鏡１０４の主フレーム１１０に配置、取付けされる前の図解である。サングラス付属部２０２と眼鏡１０４間の適合したフィットアップは、図１４に示されたように取付けられた状態に眼鏡装置２００においてさらに描写される。
【００４１】
図１５は、サングラス付属部を眼鏡に固定するための、主フレーム１１０への補助フレーム２０８の磁気接合を図解によって説明する。さらに詳しく、リムフランジ１３４の構造は　補助フレーム２０８の主フレーム１１０への更なる支えを提供するため主フレーム上に明かに配置されて見える。その様な物理的な配置接合は、補助フレーム２０８の構造に使用されたような磁性合金によってもたらされる。従って、主要な固定力は、主フレーム１１０の磁化可能材料に摩擦接合や磁力を結果として与える補助フレーム２０８の磁性合金によって与えられる。その様な磁性接合は、主フレーム１１０の上端と相互に作用し合うリムフリンジ１３４の存在によってさらに確保される。その上、リムフランジ１３４は主フレーム１１０上の補助フレーム２０８をさらに支える手助けをする。
【００４２】
図１６〜２２は第３の実施例の補助フレーム３０８を図解によって説明し、その補助フレームは取付けによって眼鏡装置３００を形成するよう磁気および物理的に主フレーム２１０に付着する。とりわけ、補助フレーム３０８は実質的にサングラス付属部と均等に構造さるが、例外として一対の外部スロット１３６と一対の内部スロット１４０は眼鏡２０４の正面とフィットアップする噛合いを実現するため補助フレームの後面に形成される。眼鏡２０４は、図１〜１５と２３〜２７の実施形態に様々に説明された眼鏡１０４と類似する。しかしながら、眼鏡２０４は隆起あるいは前方に伸びたつる先端部１４４の追加の特徴を含み、つる先端部はつる２３３の両端に設けられ、一対の隆起あるいは前方に伸びたアーム１４６がブリッジ１２２の両端に設けられている。隆起したつる先端部１４４と隆起したアーム１４６のそれぞれは、図２０に示されるように取り付けられた際にスロット１３６と１４０に互いに噛合う接合部を提供するため、主フレーム２１０の前面に隣接して前方に伸びるよう構成されている。
【００４３】
図１９に示されるように、補助フレーム３０８のスロット１３６は、補助フレーム３０８が主フレーム２１０と磁力接合し固定されるように、隆起したつる先端部１４４と相互に噛合って接合しながら組込まれるよう寸法設定し構成されている。図２０に図解されたような接合において、フレーム同士が磁気で付着された際に補助フレーム３０８と主フレーム２１０間の配置とフィットアップをさらに容易にするため、スロット１３６は隆起したつる先端部１４４と協調する。従って、その様な相互に噛合う接合は、補助フレーム３０８の磁性合金が主フレーム２１０の磁化可能材料に磁気接合をもたらす結果、補助フレーム３０８と主フレーム２１０の間に与えられた摩擦接合をさらに向上する。同様に、隆起したアーム１４６は互いに噛合った関係でスロット１４０（図１７）と接合することにより、位置合わせされた噛合いを向上する。
【００４４】
図２１は、フレーム間の磁力（これは摩擦接合を引き起こす）から生じる補助フレーム３０８の主フレーム２１０への付着を図解で説明し、さらに図１６〜２０への参照と共に予め説明されたスロット、アーム及びつる先端部の物理的相互の噛合いによって裏付けされる。図１〜１５に描写された実施形態の主張により、良い物理的隣接とフィットアップは望ましいところでは補助フレーム３０８の磁性合金部と主フレーム２１０の磁化可能材料部の間にもたらされる。
【００４５】
望ましくは、補助フレーム３０８の全接合表面部はスピノーダル分解合金のような磁性合金から形成され、主フレーム２１０の誘導する全接合表面は鋼やステンレス鋼あるいは隣接した際に磁性材料に物理的に引き付けられることが可能な合金のような磁化可能な材料から形成される。
【００４６】
図２２は、隆起したつる先端部１４４とスロット１３８間にもたらされた連結あるいは相互噛合い接合を詳細に渡って説明する。隆起したアーム１４６は同様にスロット１４０及び１４２と相互に噛合うことが理解される。図２２に示されるように、実質的に均一で一様なフィットアップが主フレームの固定機能１３０と補助フレームの付属固定機能３２６の間にもたらされる。付属固定機能３２６が機能間の磁力のために固定機能１３０と摩擦接合することから、スロット１３６や隆起つる先端部１４４のようなスロットと隆起アーム或いは隆起つる先端部との間の協力はサングラス付属部を眼鏡に配列し固定させ、従ってしっかりしたフィットアップと磁力がその間にもたらされることをさらに確実にし、それは特に比較的厳しい環境で結果的にもたらされる眼鏡装置を使用する際の磁気固定力を向上する。
【００４７】
図２３〜２７は、組立て時に眼鏡装置を形成するための眼鏡１０４（第１と第２の実施形態に示されている）に磁気によって付着したサングラス付属部４０２の第４の実施形態の構造を図解で説明する。より詳しくは、サングラス付属部４０２の補助フレーム４０８が一対のフォーク状固定部２３６と共に提供される。サングラス付属部４０２を眼鏡１０４から除落する可能性のあるスポーツ競技などに参加するといった激しい環境に、上記のような眼鏡装置４００をさらす際、フォーク状固定部２３６はサングラス付属部４０２の眼鏡１０４上での固定をさらに確実にするために主フレーム１１０のつる１２３と協力する。
【００４８】
図２３のように、補助フレーム４０８の対抗する最も外側の縁の個々は、補助フレームが主フレームに磁気で付着するように、主フレーム１１０から伸びる各つる１２３と協調する専用のフォーク状固定部２３６を包含する。取り付けられた際に、フォーク状固定部２３６はサングラス付属部４０２を眼鏡１０４に位置付けるのに役立ち、結果としてその間に最良のフィットアップを与え、磁気による接合を確実にする。
【００４９】
図２４は各フォーク状固定部２３６の補助フレーム４０８への位置付けと取付けをさらに図解で説明する。フォーク状固定部２３６の付加を除いて、補助フレーム４０８は図１〜８の第１の実施形態に描写された補助フレーム１０８と実質的に同様であることが理解される。フォーク状固定部２３６は磁性合金から形成されてもされなくても良い。
【００５０】
図２５〜２７は、取付け時における眼鏡１０４と協調する、フォーク状固定部２３６によってもたらされるより向上された固定力を詳細に渡って図解で説明する。図２５に示されるように、眼鏡１０４は図１〜１５に描写された初めの二つの実施形態と基本的に同一であり、そこで各つる上のつる先端部２４４、或いはテンプル延長部１２３、は主フレーム１１０の前端と実質的に同一平面上にある。各フォーク状固定部２３６は、取付け接合時に補助フレーム４０８を主フレーム１１０に並べるよう、各つる先端部１４４の先端と下端を包み込むように寸法が決められる。フォーク状固定部２３６はさらに補助フレーム４０８と主フレーム１１０の間の磁性噛合い時にフィットアップと配列を維持する。従って、上記のような相互の噛合いはサングラス付属部４０２の眼鏡１０４への配列および磁気接合をさらに確実にする。
【００５１】
よってフォーク状固定部２３６は、各隆起つる先端部１４４、隆起アーム１４６、そしてスロット１３６と１４０を含む、図１６〜２２の実施形態で使用される相互噛合いによる接合に代替構造を提供する。
図２６に示されるように、各フォーク状固定部２３６は上アーム１４７と下アーム１４８を含み、それらの間にはつる先端部を受け止められるよう十分に間隔を介している。ある構造によると、アーム１４７と１４８はフォーク状固定部２３６がただ補助フレーム４０８と主フレーム１１０間に配列を与えるほどにつる先端部１４４と関係して十分に間隔を介しており、また単にサングラス付属部４０２を眼鏡１０４上に接合させるために十分な締まりばめはその間に提供しない。代案として、アーム１４７と１４８はつる先端部２４４に締まりばめを与えるために間隔を空けて位置させ、それはサングラス付属部４０２とめがね１０４の間に付加的な保持力（上記は磁気接合によってのみ与えられる）をもたらす。
【００５２】
図２７に示されるように、補助フレーム４０８の構造において磁性合金を使用することにより磁力が与えられ、また主フレーム１１０の構造において鋼のような磁化可能材料を使用した結果として、補助フレーム４０８は主に主フレーム１１０に付着する。しかしながらフォーク状固定部２３６は、各補助フレーム４０８と主フレーム１１０の磁性合金と磁化可能材料の間に発生するしっかりした配列とフィットアップを確実にするために取付け時につる先端部２４４と協調し、よってその間に分離が起こり得る厳しい環境において眼鏡４００を使用する時にも継続した固定力が保証される。
【００５３】
図２８〜３３は第５の実施形態である、めがね３０４に磁気で付着するサングラス付属部５０２の構造を図解によって説明する。めがね３０４は図１８の第３の実施形態に示されためがね２０４に類似するが、図２５のつる先端部２４４に似たつる先端部３４４（図３０参照）を包含する。サングラス付属部５０２はめがね３０４と結合して、取付け時に眼鏡装置５００を形成する。より詳しくは、サングラス付属部５０２の補助フレーム５０８は一対の巻きつけ型固定アーム３３６によって提供される。サングラス付属部５０２が眼鏡２０４から除落する可能性のあるスポーツ競技などに参加するといった激しい環境に、上記のような眼鏡装置５００をさらす際、固定アーム３３６はサングラス付属部５０２の眼鏡２０４上での固定をさらに確実にするため主フレーム３１０と互いに働きあう。
【００５４】
図２８に示されるように、補助フレーム５０８の対抗する個々の最も外側の縁は、補助フレーム５０８が主フレーム３１０に磁気によって付着する際に主フレーム３１０から伸びた各つる３２３と協力する専門の固定アームを包含する。共に取り付けられた際に、固定アーム３３６は眼鏡２０４にサングラス付属部５０２を配列するのに役立ち、結果としてその間に適切なフィットアップがもたらされ、磁気接合が保証される。
【００５５】
磁気接合を実現するために、固定アーム３３６の一つと固定アーム隣接表面３３４はスピノーダル合金のような熱処理された磁性合金を有する。その様な合金のひとつはＡｒｎｏｋｒｏｍｅ３（登録商標）である。その他の固定アーム３３６と固定アーム隣接表面３３４は鋼やステンレス鋼合金のような磁化可能な材料を有する。ある構造に基づくと、固定アーム３３６は熱処理された磁性合金を有し、固定アーム隣接表面３３４は磁化可能な材料を有する。また他の構造によると、固定アーム３３６は磁化可能な材料を有し、固定アーム隣接表面３３４は熱処理された磁性合金を有する。
【００５６】
固定アーム３３６が熱処理された磁性合金を有し、固定アーム隣接表面３３４が磁化可能な材料を有する場合には、補助フレーム５０８と主フレーム３１０はその他の熱処理された磁性合金や磁化可能材料から形成されていないかもしれないことが理解される。固定アーム３３６は磁化可能な材料を有し、固定アーム隣接表面３３４は熱処理された磁性合金を有する際にも同様のことが言える。その様な場合において、磁力はサングラス付属部５０２と眼鏡３０４間にもたらされ、それは固定アーム３３６と固定隣接表面３３４の間の相互作用のみを基準としている。相互に噛合う物理的結合は、固定アーム隣接表面３３４と物理的に隣接するようつる３２３を巻きつける固定アーム３３６によって付加的に提供される。任意的に、補助フレーム５０８と主フレーム３１０のそれぞれが熱処理された磁性合金および磁化可能な材料のどちらかを使用することによってフレーム間にさらなる磁力を与える材料から形成されることが可能である。
【００５７】
図２９は、各巻きつけ固定アーム３３６の補助フレーム５０８への位置付けをさらに図解で説明する。フォーク状固定部２３６の代用部品の固定アーム３３６を除いて、補助フレーム５０８が図２３〜２７の第４の実施形態に描写された補助フレーム４０８と実質的に同様の幾何形状で構造されていることは理解されている。
【００５８】
さらなる任意的な構造として、固定アーム３３６は熱処理された磁性合金あるいは磁化可能な材料から形成されない。その代わりに、磁力がサングラス付属部５０２と眼鏡３０４の間に、各ピースが熱処理された磁性合金や磁化可能な材料から、或いはその他の熱処理された磁性合金や磁化可能な材料のようなものから形成される。
【００５９】
図３０〜３３は、巻き付け型固定アーム３３６が眼鏡３０４との取付け時に協調し合う際にその固定アーム３３６によって提供される向上された固定力に関して詳細に渡って図解で説明する。図３０に示されるように、眼鏡３０４は図１〜１５に描写された初めの二つの実施形態と基本的に同一であり、そこで各つる３２３、或いはテンプル延長部、のつる先端部３４４は、主フレーム３１０の前端と実質的に同一平面状にある。各固定アーム３３６は、付着噛合いの際に補助フレーム５０８を主フレーム３１０に配列するよう各つる隻部３４４の上端および下端に巻き付くよう寸法決めされる。固定部３３６はさらに、補助フレーム５０８と主フレーム３１０の間のフィットアップ、配列そして磁気噛合いを保持する。従って、そのような相互の噛合いはさらにサングラス付属部５０２の眼鏡３０４への配列および磁気による接合を確実にする。
【００６０】
その結果、固定アーム３３６は、図２３〜２７の実施形態において活用されたフォーク状固定アームの相互の噛合いによって提供された構造に代替構造をもたらす。
【００６１】
図３１に示されるように、個々の固定アーム３３６は眼鏡３０４の各つる３２３を包み込む。取付け時において、固定アーム３３６がつる３２３をクリアーするように、補助フレーム５０８は眼鏡３０４と相対して引き上げられる。そして図３２のように、固定アーム３２６が個々のつる３２３と磁気によって噛合うように補助フレーム５０８は眼鏡３０４と並び、組込まれるよう引き下げられる。
【００６２】
特に図３３は、補助フレーム５０８を眼鏡３０４に固定する固定アーム３２６とつる３２３の間に組込まれた磁気による噛合いを詳細にわたり図解で説明する。固定アーム３３６は、後方に伸びるつめ３３７と、つめ３３７から下方に伸びる固定パッド３３９を具備する。一つの実施形態におけるパッド３３９とつめ３３７は上に説明された熱処理を経て磁化されたスピノーダル分解合金を有する。その様な実施形態によると、つる３２３のつる先端部３４４はステンレス鋼合金のような磁化可能な材料を含む。代案として、固定アーム３３６はステンレス鋼合金のような磁化可能材料を有し、またつる先端部３４４（及びつる３２３）は磁気特性を持つよう熱処理されたスピノーダル分解合金を有する。
【００６３】
図３３に示されるように、補助フレーム５０８の構造において磁性合金を使用することにより磁力が与えられ、また眼鏡３０４上の（つる３２３の）つる先端部３４４の構造において鋼のような磁化可能材料を使用した結果として、補助フレーム４０８は主に主フレーム３１０に付着する。取付け時に、補助フレーム５０８と主フレーム３１０間のしっかりとした配列とフィットアップを保証するために、固定アーム３３６はつる先端部３４４（及びつる３２３）と互いに働きあう。固定アーム３３６がつる先端部３４４を包み込む際の様態は、補助フレーム５０８の主フレーム３１０への機械的付着をさらに提供し、よってその間に分離が起こり得る厳しい環境において眼鏡５００を使用する時にも継続した固定力が保証される。
【図面の簡単な説明】
抜粋された発明の実施態様が、以下に添付された図への参照と共に下に述べられている。
【図１】
図１は、使用者が主フレームを着用している際の第１の実施例である補助フレームの主フレームへの装備を図解する眼鏡使用者の簡易化された斜視図である。
【図２】
図２は、第１の実施例である補助フレームが主フレームに付着された正面図である。
【図３】
図３は、第１の実施例である補助フレームの背面図である。
【図４】
図４は、第１の実施例である本発明の補助フレームの主フレームへの装着前の補助フレームと主フレームの平面図である。
【図５】
図５は、本発明の第１の実施例において、補助フレームが図４の主フレームに装着された平面図である。
【図６】
図６は、補助フレームの主フレームへの装着前の本発明の第１の実施例における補助フレームと主フレームの右側面図である。
【図７】
図７は、本発明の第１の実施例における主フレームに装着された補助フレームの右側面図である。
【図８】
図８は、本発明の第１の実施例において主フレームに装着された補助フレームを示す図２の８〜８の線に沿ってとらえた、部分的及び垂直拡大断面図である。
【図９】
図９は、使用者が主フレームを片手に、そして補助フレームをもう一つの手に持っている時の、第２の実施例における補助フレームの主フレーム上への組込を図解した簡易斜視図である。
【図１０】
図１０は、第２の実施例における補助フレームが主フレームに装備された正面図である。
【図１１】
図１１は、第２の実施例である補助フレームの背面図である。
【図１２】
図１２は、本発明の第２の実施例において主フレームに装備された補助フレームの平面図である。
【図１３】
図１３は、補助フレームの主フレームへの装備前の、本発明の第２の実施例における補助フレームと主フレームの右側面図である。
【図１４】
図１４は、本発明の第２の実施例における主フレームに装備された補助フレームの右側面図である。
【図１５】
図１５は、本発明の第２の実施例における主フレームへ装備された補助フレームを示す図１０の１５〜１５の線に沿ってとらえた、部分的および垂直拡大断面図である。
【図１６】
図１６は、第３の実施例である補助フレームが主フレームに装備された正面図である。
【図１７】
図１７は、第３の実施例である補助フレームの背面図である。
【図１８】
図１８は、本発明の第３の実施例における主フレームに補助フレームが装備された平面図である。
【図１９】
図１９は、補助フレームの主フレームへの装備前の、本発明の第３の実施例における補助フレームと主フレームの右側面図である。
【図２０】
図２０は、本発明の第３の実施例における主フレームに装備された補助フレームの右側面図である。
【図２１】
図２１は、本発明の第３の実施例における主フレームへ装備された補助フレームを示す図１６の２１〜２１の線に沿ってとらえた、部分的および垂直拡大断面図である。
【図２２】
図２２は、補助フレームのレンスの周りに伸び、主フレームの止め金具と噛合った円周範囲内の凹所を示す図１６の２２〜２２の線に沿ってとらえた、部分的および垂直拡大断面図である。
【図２３】
図２３は、第４の実施例の補助フレームが主フレームに接続されている正面図である。
【図２４】
図２４は、第４の実施例である補助フレームの背面図である。
【図２５】
図２５は、本発明の第４の実施例において補助フレームが主フレームに装備されている平面図である。
【図２６】
図２６は、補助フレームの主フレームへの装備前の、本発明の第４の実施例における補助フレームと主フレームの右側面図である。
【図２７】
図２７は、本発明の第４の実施例における主フレームに装備された補助フレームの右側面図である。
【図２８】
図２８は、補助フレームが主フレームに装備された第５の実施例の正面図である。
【図２９】
図２９は、第５の実施例である補助フレームの背面図である。
【図３０】
図３０は、本発明の第５の実施例において主フレームに装備された補助フレームの平面図である。
【図３１】
図３１は、補助フレームの主フレームへの装備前の、本発明の第５の実施例における補助フレームと主フレームの右側面図である。
【図３２】
図３２は、本発明の第５の実施例における主フレームに装備された補助フレームの右側面図である。
【図３３】
図３３は、補助フレームのアームと主フレームの止め金具の間の磁性および物理的な相互の噛合いを示す図３０の３３〜３３の線に沿ってとらえた、部分的および垂直拡大断面図である。（垂直断面の拡大図）
【図１】
2004509373.tif 000003
【図２】
2004509373.tif 000004
【図３】
2004509373.tif 000005
【図４】
2004509373.tif 000006
【図５】
2004509373.tif 000007
【図６】
2004509373.tif 000008
【図７】
2004509373.tif 000009
【図８】
2004509373.tif 000010
【図９】
2004509373.tif 000011
【図１０】
2004509373.tif 000012
【図１１】
2004509373.tif 000013
【図１２】
2004509373.tif 000014
【図１３】
2004509373.tif 000015
【図１４】
2004509373.tif 000016
【図１５】
2004509373.tif 000017
【図１６】
2004509373.tif 000018
【図１７】
2004509373.tif 000019
【図１８】
2004509373.tif 000020
【図１９】
2004509373.tif 000021
【図２０】
2004509373.tif 000022
【図２１】
2004509373.tif 000023
【図２２】
2004509373.tif 000024
【図２３】
2004509373.tif 000025
【図２４】
2004509373.tif 000026
【図２５】
2004509373.tif 000027
【図２６】
2004509373.tif 000028
【図２７】
2004509373.tif 000029
【図２８】
2004509373.tif 000030
【図２９】
2004509373.tif 000031
【図３０】
2004509373.tif 000032
【図３１】
2004509373.tif 000033
【図３２】
2004509373.tif 000034
【図３３】
2004509373.tif 000035
【国際公開パンフレット】
2004509373.tif 000036
2004509373.tif 000037
2004509373.tif 000038
2004509373.tif 000039
2004509373.tif 000040
2004509373.tif 000041
2004509373.tif 000042
2004509373.tif 000043
2004509373.tif 000044
2004509373.tif 000045
2004509373.tif 000046
2004509373.tif 000047
2004509373.tif 000048
2004509373.tif 000049
2004509373.tif 000050
2004509373.tif 000051
2004509373.tif 000052
2004509373.tif 000053
2004509373.tif 000054
2004509373.tif 000055
2004509373.tif 000056
2004509373.tif 000057
2004509373.tif 000058
2004509373.tif 000059
2004509373.tif 000060
2004509373.tif 000061
2004509373.tif 000062
2004509373.tif 000063
2004509373.tif 000064
2004509373.tif 000065
2004509373.tif 000066
2004509373.tif 000067
2004509373.tif 000068
2004509373.tif 000069
2004509373.tif 000070
2004509373.tif 000071
2004509373.tif 000072
2004509373.tif 000073
【国際調査報告】
2004509373.tif 000074